(57)【要約】【課題】簡便な構成で、付勢部材の付勢力との繊細なバランス設定を要せず確実に撮像レンズの移動の行えるレンズ駆動装置を提供し、該レンズ駆動装置を備えた撮像装置及び該撮像装置を備えた携帯端末を提供する。【解決手段】被写体光を導く撮像レンズと、該撮像レンズを光軸方向に付勢する付勢部材と、板状に形成され、表裏に電位差が付与された際に前記撮像レンズの光軸に直交する方向に伸長するよう配置された圧電素子と、圧電素子の伸長を阻止する阻止部材と、を有し、圧電素子が伸長した際に、阻止部材で該伸長を阻止させることにより圧電素子を光軸方向に湾曲させ、該湾曲した部位で付勢部材の付勢力に抗して撮像レンズを光軸方向に移動させるレンズ駆動装置とする。【選択図】図４
2012002982.tif 000002
【特許請求の範囲】
【請求項１】
被写体光を導く撮像レンズと、
該撮像レンズを光軸方向に付勢する付勢部材と、
板状に形成され、表裏に電位差が付与された際に前記撮像レンズの光軸に直交する方向に伸長するよう配置された圧電素子と、
前記圧電素子の伸長を阻止する阻止部材と、を有し、
前記圧電素子が伸長した際に、前記阻止部材で該伸長を阻止させることにより前記圧電素子を光軸方向に湾曲させ、該湾曲した部位で前記付勢部材の付勢力に抗して前記撮像レンズを光軸方向に移動させることを特徴とするレンズ駆動装置。
【請求項２】
前記圧電素子は、透光性を有する部材で形成され、前記撮像レンズの光線経路を横切って配置されていることを特徴とする請求項１に記載のレンズ駆動装置。
【請求項３】
前記圧電素子は、遮光性の部材で形成され、前記撮像レンズの光線経路に対応する部位に開口部を有していることを特徴とする請求項１に記載のレンズ駆動装置。
【請求項４】
前記撮像レンズに導かれた被写体光を光電変換する撮像素子と、
請求項１から３までのいずれか一項に記載のレンズ駆動装置と、を有することを特徴とする撮像装置。
【請求項５】
請求項４に記載の撮像装置を有することを特徴とする携帯端末。
【発明の詳細な説明】
【技術分野】
【０００１】
本発明は、圧電素子を用いたレンズ駆動装置及び該レンズ駆動装置を備えた撮像装置並びに該撮像装置を備えた携帯端末に関するものである。
【背景技術】
【０００２】
従来より、携帯電話機等の携帯端末に、小型で薄型の撮像装置が搭載されており、撮影のみならず、遠隔地へ音声情報だけでなく画像情報も相互に伝送することが可能となっている。このような撮像装置においても、オートフォーカス撮影を可能とすべく撮像レンズを光軸に沿って移動させるためのレンズ駆動装置を備えたものがある。
【０００３】
このような小型で薄型の撮像装置のレンズ駆動のためのアクチュエータとして、形状記憶合金や圧電体素子を用いたもの（例えば、特許文献１参照）が知られている。
【先行技術文献】
【特許文献】
【０００４】
【特許文献１】特開２０１０−８５７９８号公報
【発明の概要】
【発明が解決しようとする課題】
【０００５】
上記特許文献１に記載のレンズ駆動装置は、板状のアクチュエータを使用するため撮像装置を薄型にできるものである。
【０００６】
しかしながら、撮像レンズを所定の方向に付勢しつつ、圧電体素子の一方の端部を固定し他方の端部を自由端（駆動部）とした片持ち構造で、自由端の変形を用いて撮像レンズを移動させるものであり、圧電体素子は付勢力が無い場合の自由端の変形形状とは異なる変形形状となる。具体的には、付勢力が強すぎると変形してもレンズ群の移動量が不足し、付勢力が弱すぎると姿勢によってはレンズ群が移動してしまう姿勢差が問題となる。すなわち、圧電体素子の変形形状と付勢部材の付勢力とのバランスの設定が非常に繊細なものとなる。
【０００７】
本発明は上記問題に鑑み、簡便な構成で、付勢部材の付勢力との繊細なバランス設定を要せず確実に撮像レンズの移動の行えるレンズ駆動装置を提供することを目的とし、該レンズ駆動装置を備えた撮像装置及び該撮像装置を備えた携帯端末を提供することを目的とするものである。
【課題を解決するための手段】
【０００８】
上記の目的は、下記の構成により達成される。
【０００９】
（１）被写体光を導く撮像レンズと、該撮像レンズを光軸方向に付勢する付勢部材と、板状に形成され、表裏に電位差が付与された際に前記撮像レンズの光軸に直交する方向に伸長するよう配置された圧電素子と、前記圧電素子の伸長を阻止する阻止部材と、を有し、前記圧電素子が伸長した際に、前記阻止部材で該伸長を阻止させることにより前記圧電素子を光軸方向に湾曲させ、該湾曲した部位で前記付勢部材の付勢力に抗して前記撮像レンズを光軸方向に移動させることを特徴とするレンズ駆動装置。
【００１０】
（２）前記圧電素子は、透光性を有する部材で形成され、前記撮像レンズの光線経路を横切って配置されていることを特徴とする前記（１）に記載のレンズ駆動装置。
【００１１】
（３）前記圧電素子は、遮光性の部材で形成され、前記撮像レンズの光線経路に対応する部位に開口部を有していることを特徴とする前記（１）に記載のレンズ駆動装置。
【００１２】
（４）前記撮像レンズに導かれた被写体光を光電変換する撮像素子と、前記（１）から（３）までのいずれかに記載のレンズ駆動装置と、を有することを特徴とする撮像装置。
【００１３】
（５）前記（４）に記載の撮像装置を有することを特徴とする携帯端末。
【発明の効果】
【００１４】
本発明によれば、簡便な構成で、付勢部材の付勢力との繊細なバランス設定を要せず確実に撮像レンズの移動の行えるレンズ駆動装置を提供することが可能となり、該レンズ駆動装置を備えた撮像装置及び該撮像装置を備えた携帯端末を提供することが可能となる。
【図面の簡単な説明】
【００１５】
【図１】第１の実施の形態に係る撮像装置の斜視図である。
【図２】第１の実施の形態に係る撮像装置の撮像レンズの光軸を含む（図１に示すＡ−Ａ断面）断面を模式的に示した図である。
【図３】第１の実施の形態に係る圧電素子を示す模式図である。
【図４】圧電素子への電位差付与の際の圧電素子及び撮像レンズの状態を示す断面図である。
【図５】第２の実施の形態に係る撮像装置の斜視図である。
【図６】第２の実施の形態に係る撮像装置の撮像レンズの光軸を含む（図５に示すＢ−Ｂ断面）断面を模式的に示した図である。
【図７】第２の実施の形態に係る圧電素子を示す模式図である。
【図８】本実施の形態に係る撮像装置を備えた携帯端末の一例である携帯電話機の外観図である。
【図９】携帯電話機の制御ブロックの一例を示す図である。
【発明を実施するための形態】
【００１６】
以下、実施の形態により本発明を説明するが、本発明はこれに限定されるものではない。
【００１７】
（第１の実施の形態）
図１は、第１の実施の形態に係る撮像装置５０の斜視図である。
【００１８】
図１に示すように、撮像装置５０は、撮像素子の光電変換部に被写体像を結像させる撮像レンズ１０と、遮光部材からなる筐体５３と、撮像素子を内包する撮像素子カバー５５と、撮像素子を保持する支持基板５２ａと、その電気信号の送受を行う外部接続用端子（外部接続端子とも称す）５４を有するフレキシブルプリント基板５２ｂとを備え、これらが一体的に形成されている。
【００１９】
図２は、第１の実施の形態に係る撮像装置５０の撮像レンズの光軸Ｏを含む（図１に示すＡ−Ａ断面）断面を模式的に示した図である。
【００２０】
図２において、５１は撮像素子であり、受光側の面の中央部に画素（光電変換素子）が２次元的に配置されており、その周囲には信号処理回路が形成されている。
【００２１】
撮像素子５１の受光側の面の外縁近傍には、不図示の多数のパッドが設けられており、ボンディングワイヤＷを介して支持基板５２ａに接続されている。撮像素子５１は、光電変換部からの信号電荷をデジタルＹＵＶ信号等の画像信号に変換し、ボンディングワイヤＷを介して支持基板５２ａ上の所定の回路に出力する。
【００２２】
なお、撮像素子５１としては、ＣＭＯＳ型のイメージセンサ又はＣＣＤ型のイメージセンサが使用される。
【００２３】
基板５２は、その一方の面で撮像素子５１と筐体５３を支持する硬質の支持基板５２ａと支持基板５２ａの他方の面（撮像素子５１と反対側の面）にその一端部が接続されたフレキシブルプリント基板５２ｂとで構成されている。支持基板５２ａは、表裏両面に多数の信号伝達用パッドが設けられており、一方の面でボンディングワイヤＷを介して撮像素子５１と接続され、他方の面でフレキシブルプリント基板５２ｂと接続されている。
【００２４】
フレキシブルプリント基板５２ｂは、図１に示すように、一端部が支持基板５２ａと接続されている。また、他方の端部に設けられた外部接続端子５４を介して支持基板５２ａと不図示の外部回路（例えば、撮像装置を実装した上位装置が有する制御回路）とが接続される。この外部接続端子５４を介し、外部回路から撮像素子５１を駆動するための電圧やクロック信号の供給を受けたり、また、デジタルＹＵＶ信号を外部回路へ出力したりすることを可能としている。更に、フレキシブルプリント基板５２ｂは、可撓性を有し中間部が変形して支持基板５２ａに対し外部接続端子５４の向きや配置に自由度を与えている。
【００２５】
支持基板５２ａには、撮像素子５１を内包する遮光性の材料で形成された撮像素子カバー５５が設けられ、開口部にはカバーガラス５６が固着されている。撮像素子カバー５５と円筒状の筐体５３は固着され、筐体５３内には、撮像レンズ１０を保持する円筒状の鏡枠５７が光軸方向に移動可能に配置されている。鏡枠５７は、付勢部材であるコイルバネ５８により、撮像素子５１方向に付勢されている。
【００２６】
筐体５３内の撮像素子カバー５５と鏡枠５７の間には、圧電素子６０が配置されている。この圧電素子６０は、板状に形成され、表裏に電位差が付与された際の伸長方向が、撮像レンズ１０の光軸Ｏに直交する方向となるよう組み込まれている。この圧電素子６０は、透光性を有する部材で形成され、筐体５３の内径に嵌合して略円形に形成されており、撮像レンズ１０の光線経路を横切って配置されている。なお、圧電素子６０には、撮像レンズ側の面と撮像素子側の面には、それぞれ透明の電極が形成されており、該透明の電極に電位差が付与できるように、不図示の定電圧回路が接続されている。
【００２７】
また、不図示であるが、赤外光をカットするフィルタ又はコーティングが撮像レンズ１０の最も被写体側の面からカバーガラス５６の撮像レンズ１０側の面までのいずれかに設けられている。
【００２８】
図３は、第１の実施の形態に係る圧電素子６０を示す模式図である。図３（ａ）は圧電素子６０を光軸Ｏを含む面で切断した断面図であり、図３（ｂ）、（ｃ）は光軸Ｏ方向から見た正面図である。
【００２９】
図３（ａ）に示す圧電素子６０は、透光性を有する有機圧電体６１の両面に、透明の電極６２が形成されたものである。
【００３０】
有機圧電体６１としては、特開平８−３６９１７号公報、特開２００５−２１３３７６号公報、特開２００３−２８２９８３号公報、特開２００６−４９４１８号公報、特開２００９−２６７５２８号公報等に記載される、ポリフッ化ビニリデン（ＰＶＤＦ）、フッ化ビニリデン−トリフルオロエチレン（ＶＤＦ／ＴｒＦＥ）共重合体、フッ化ビニリデンテトラフルオロエチレン（ＶＤＦ−ＴｅＦＥ）共重合体、シアン化ビニリデン−酢酸ビニル共重合体、ナイロン−１１、ＰＺＴ−フッ化ビニリデン共重合体、ＰＺＴ−ポリオキシメチレン等、ポーリング処理と呼ばれる直流電界をフィルムに印加し、双極子を一方向に揃えることにより圧電性を発現するものや、ポリ（グルタル酸γ−ベンジル）、ポリ（グルタル酸γ−メチル）等のポリペプチドや、酢酸セルロース、シアノエチルセルロース等のセルロース誘導体、ポリ乳酸やポリプロピレンオキシド、ポリ（β−ヒドロキシ酪酸）等の光学活性高分子で機械的な延伸処理により圧電性を発現するものが挙げられる。
【００３１】
その他に、無機化合物を複合化したポリ乳酸系樹脂（ポリ乳酸、乳酸と共重合可能な多官能性化合物とのコポリマーおよびそれらの混合物）、ジイソシアナート化合物、又はジイソシアナート化合物及びジアミン化合物を原料モノマーとするプレポリマー等の尿素樹脂、フラレノール導入ポリウレタンエラストマー、２官能性極性架橋剤を用いて、電界の印加下で該架橋剤の配向的架橋により連結架橋させて得られたポリマー圧電物質等、公知の有機圧電性物質を用いることができる。
【００３２】
透明の電極６２としては、例えば錫ドープ酸化インジウム（ＩＴＯ）、フッ素ドープ酸化スズ（ＦＴＯ）、アルミニウムドープ酸化亜鉛（ＡＺＯ）、アルミニウムドープ酸化錫、インジウムドープ酸化亜鉛（ＩＺＯ）等の無機酸化物をスパッタリング法を用いて、あるいはポリスチレンスルホン酸ドープポリエチレンジオキシチオフェン（ＰＥＤＯＴ／ＰＳＳ）に代表される導電性高分子を各種ウェットコーティング法を用いて成膜される。
【００３３】
透光性を有する有機圧電体６１に形成された透明の電極６２には、表裏間で電位差を付与できるように、例えば図３（ａ）に示すような定電圧回路が接続される。なお、図３（ａ）に示すＶＩＮは直流電源、Ｔｒはトランジスタ、ｒ１及びｒ２は抵抗、Ｃはコンデンサ、ＣＭはコンパレータ、７０は基準電圧発生回路である。なお、図３（ａ）に示した例では、一方の面に電圧を印加し他方の面を接地（０Ｖ）して電位差を付与するよう構成しているが、一方の面に＋電圧を印加し、他方の面に−電圧を印加して電位差を付与してもよい。
【００３４】
図３に示す、第１の実施の形態に係るレンズ駆動装置に用いられる圧電素子６０は、自由状態で透明の電極に電位差が付与された際には、破線で示すように平面的に伸長するものである。伸長の形態としては、図３（ｂ）に示すような所定の一方向に伸長するものや、図３（ｃ）に示すように全方向に伸長するものを用いることができる。この圧電素子６０は、図２に示す撮像装置５０の筐体５３内では、伸長方向が光軸Ｏに直交する方向となるよう組み込まれている。
【００３５】
図４は、圧電素子６０への電位差付与の際の圧電素子６０及び撮像レンズ１０の状態を示す断面図である。図４（ａ）は図２と同じく圧電素子６０へ電位差を付与していないときの状態を示し、図４（ｂ）は圧電素子６０へ電位差を付与したときの状態を示している。
【００３６】
圧電素子６０に電位差を付与していないときは、図４（ａ）に示すように、圧電素子６０は伸長しておらず、略円形で円筒状の筐体５３の内径に嵌合し、略平坦な状態である。このとき、円筒状の鏡枠５７は、コイルバネ５８の付勢力により撮像素子５１方向に付勢され、ストッパ５７ｓの筐体５３との光軸方向の当接により撮像素子５１側の位置となっている。このときの撮像レンズ１０の位置は、例えば過焦点距離、無限遠及び過焦点距離と無限遠の間の予め決められた距離に合焦する位置である。
【００３７】
圧電素子６０に電位差が付与されたときは、図３に示すように伸長するが、筐体５３の内径に嵌合しているため、光軸Ｏに直交する方向への平面的伸長は筐体５３により阻止される。このため、伸長量の逃げ場がなく、圧電素子６０は図４（ｂ）に示すように湾曲する。この湾曲によって鏡枠５７は、コイルバネ５８の付勢力に抗して移動させられ、ストッパ５７ｓの筐体５３との光軸方向の当接により被写体側の位置となる。このときの撮像レンズ１０の位置は、至近距離に合焦する位置である。
【００３８】
すなわち、第１の実施の形態に係る撮像装置は、圧電素子を透光性を有する部材で形成し、撮像レンズの光線経路を横切る大面積のものとし、撮像レンズの光軸に直交する方向に伸長するよう配置し、伸長させた際に、伸長方向を阻止部材で阻止して光軸方向に湾曲させ、この湾曲した部位で鏡枠を光軸方向に移動させるよう構成したレンズ駆動装置を備えたものである。
【００３９】
これにより、大きな面積の圧電素子の大きな変形量を用いることができるだけでなく、片持ち構造とならないため、湾曲時の変形による鏡枠を移動させる駆動力を十分なものとすることができる。これにより簡便な構成で、付勢部材の付勢力との繊細なバランス設定を要せず確実に撮像レンズの移動の行えるレンズ駆動装置を提供することが可能となる。
【００４０】
なお、本例においては、筐体５３が圧電素子６０の伸長を阻止する阻止部材に相当するが、これに限るものでなく、阻止のための部材を専用に設けてもよいし、その他の部材で行うように構成してもよい。
【００４１】
また、本願においては「透光性を有す」、「透明」とは、可視光領域（波長４００ｎｍ〜７００ｎｍ）での透過率が５０％以上であることを指す。
【００４２】
（第２の実施の形態）
図５は、第２の実施の形態に係る撮像装置５０の斜視図である。
【００４３】
図５に示す撮像装置５０の、図１に示す撮像装置５０と異なるところは、筐体５３の内形及び外形が角柱状であり、不図示の鏡枠は、筐体５３に内包され、光軸Ｏ方向に移動可能となされている。
【００４４】
図６は、第２の実施の形態に係る撮像装置５０の撮像レンズの光軸Ｏを含む（図５に示すＢ−Ｂ断面）断面を模式的に示した図である。図６に示す撮像装置５０の断面については、図２に示したものと異なる部分についてのみ説明する。
【００４５】
図６に示す撮像装置５０には、図２と同様の位置に圧電素子６０が組み込まれているが、この圧電素子６０は、圧電素子６０の外形が略矩形に形成され、更に、撮像レンズ１０の光線経路に対応する部位には開口部６０ｋが形成されている。
【００４６】
図７は、第２の実施の形態に係る圧電素子６０を示す模式図である。図７（ａ）は圧電素子６０を光軸を含む面で切断した断面図であり、図７（ｂ）、（ｃ）は光軸Ｏ方向から見た正面図であり、図７（ｄ）は、伸長時に、対向する２つの辺で伸長を阻止したときの変形状態を示す図である。
【００４７】
図７（ａ）に示すように、圧電素子６０は、有機圧電体６１の両面に、電極６２が形成されたものである。有機圧電体６１に形成された電極６２には、表裏間で電位差を付与できるように、例えば図３（ａ）に示すような定電圧回路が接続される。伸長の形態としては、自由状態で電極６２に電位差が付与された際には、図７（ｂ）に破線で示すように、対向する２つの辺の間隔が広がるように平面的に伸長するものや、図７（ｃ）に破線で示すように、全方向に平面的に伸長するものを用いることができる。
【００４８】
図７（ｂ）に示す破線のように伸長する圧電素子６０の場合、圧電素子６０は、電位差を付与しない状態で、少なくとも伸長方向で筐体５３の内形に嵌合するように、圧電素子６０の外形が略矩形に形成されている。更に、撮像レンズ１０の光線経路に対応する部位には開口部６０ｋが形成されている。この圧電素子６０は、図６に示す撮像装置５０の筐体５３内では、伸長方向が光軸Ｏに直交する方向となるよう組み込まれている。
【００４９】
図７（ｂ）に示す圧電素子６０は、撮像装置５０に組み込まれた状態で、表裏の電極間に電位差が付与されると、対向する２つの辺の間隔が広がるように伸長するが、伸長方向両端部で筐体５３により伸長を阻止されているため、図７（ｄ）に示すように湾曲する。この湾曲により、図４（ｂ）に示したのと同様に鏡枠５７をコイルバネ５８の付勢力に抗して移動させることができる。
【００５０】
図７（ｃ）に示す破線のように伸長する圧電素子６０の場合、圧電素子６０は、電位差を付与しない状態で、対向する２つの辺のみが筐体５３の内形に嵌合するように形成され、他の対向する２つの辺は筐体５３の内形に対し、伸長した場合にも伸長を阻止されないように隙間を有して形成されている。また、同様に図６に示す撮像装置５０の筐体５３内では、伸長方向が光軸Ｏに直交する方向となるよう組み込まれている。
【００５１】
図７（ｃ）に示す圧電素子６０は、撮像装置５０に組み込まれた状態で、表裏の電極間に電位差が付与されると、全方向に伸長するが、対向する２つの辺のみが伸長を阻止されているため、図７（ｄ）に示すように湾曲する。この湾曲により、図４（ｂ）に示したのと同様に鏡枠５７をコイルバネ５８の付勢力に抗して移動させることができる。
【００５２】
第２の実施の形態も、このような湾曲により、図４（ｂ）に示したのと同様に鏡枠５７をコイルバネ５８の付勢力に抗して移動させるものである。
【００５３】
このように、撮像レンズ１０の光線経路に対応する部位を開口した形状として、撮像レンズの光軸に直交する方向に伸長するよう配置し、伸長させた際に、伸長方向を阻止部材で阻止して光軸方向に湾曲させ、この湾曲した部位で鏡枠を光軸方向に移動させるよう構成したレンズ駆動装置としても、上述と同様の効果を得ることができる。本例においても、筐体５３が圧電素子６０の伸長を阻止する阻止部材に相当するが、これに限るものでなく、阻止のための部材を専用に設けてもよいし、その他の部材で行うように構成してもよい。
【００５４】
また、図７（ｂ）に示すように伸長する圧電素子の場合、電位差を付与した際の伸長方向は、撮像素子の長辺方向（開口部の長辺方向）に設定することが好ましい。このように設定することで、伸長方向に直交する方向の幅Ｈを大きくすることができ、湾曲時の変形による鏡枠を移動させる駆動力を大きなものとすることができる。
【００５５】
また、図７（ｃ）に示すように伸長する圧電素子の場合、図示Ｌで示した辺を阻止するよう設定することが好ましい。このように設定することで、同様に湾曲時の変形による鏡枠を移動させる駆動力を大きなものとすることができる。
【００５６】
また、第２の実施の形態における圧電素子６０については、有機圧電体６１及び電極６２に透光性の有無は、どちらであってもよいが、遮光性を有するほうがより好ましい。遮光性を有することで、開口部６０ｋが不要光を遮蔽する絞りとなり、圧電素子６０でアクチュエータと絞りを兼用させることができる。
【００５７】
なお、上述の第１の実施の形態においては外形が円形状の圧電素子を用い、第２の実施の形態においては外形が矩形状の圧電素子を用いたもので説明したが、これに限るものでない。第１の実施の形態において楕円形状或いは矩形状の圧電素子を用いてもよいし、第２の実施の形態において円形状或いは楕円形状の圧電素子を用いてもよい。
【００５８】
また、上述の第１の実施の形態及び第２の実施の形態においては、付勢部材で鏡枠を撮像素子方向に付勢しておき、圧電素子の湾曲によって、付勢力に抗して鏡枠を被写体方向に移動させる構成のもので説明したが、これに限るものでなく、付勢部材で鏡枠を被写体方向に付勢しておき、圧電素子の湾曲によって鏡枠を撮像素子方向に移動させる構成としてもよい。
【００５９】
また、上述の第１の実施の形態及び第２の実施の形態においては、撮像レンズを遠距離と至近距離との２箇所に合焦する位置に停止させる例で説明したが、これに限るものでなく、ストッパ５７ｓが筐体５３と当接しない上記２箇所の間の位置で停止させ、３箇所以上の位置で停止させるような構成も可能である。
【００６０】
この場合には、例えば、予め電位差の付与と圧電素子の湾曲量（撮像レンズの移動量）とを対応づけたＬＵＴ（Ｌｏｏｋ  Ｕｐ  Ｔａｂｌｅ）を設けておき、図３（ａ）に示す制御信号を該ＬＵＴに基づいて入力することで行うことができる。
【００６１】
図８は、本実施の形態に係る撮像装置５０を備えた携帯端末の一例である携帯電話機１００の外観図である。
【００６２】
同図に示す携帯電話機１００は、表示画面Ｄ１及びＤ２を備えたケースとしての上筐体７１と、入力部である操作ボタン７０を備えた下筐体７２とがヒンジ７３を介して連結されている。撮像装置５０は、上筐体７１内の表示画面Ｄ２の下方に内蔵されており、撮像装置５０が上筐体７１の外表面側から光を取り込めるよう配置されている。
【００６３】
なお、この撮像装置の位置は上筐体７１内の表示画面Ｄ２の上方や側面に配置してもよい。また携帯電話機は折りたたみ式に限るものではないのは、勿論である。
【００６４】
図９は、携帯電話機１００の制御ブロックの一例を示す図である。
【００６５】
同図に示すように、撮像装置５０は、フレキシブルプリント基板５２ｂを介し、携帯電話機１００の制御部１０１と接続され、輝度信号や色差信号等の画像信号を制御部１０１へ出力する。
【００６６】
一方、携帯電話機１００は、各部を統括的に制御すると共に、各処理に応じたプログラムを実行する制御部（ＣＰＵ）１０１と、番号等を指示入力するための入力部である操作ボタン７０と、所定のデータ表示や撮像した画像を表示する表示画面Ｄ１、Ｄ２と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１により実行される各種処理プログラムやデータ、若しくは処理データ、撮像装置５０による画像データ等を一時的に格納したり、作業領域として用いられる一時記憶部（ＲＡＭ）９２を備えている。
【００６７】
また、撮像装置５０から入力された画像信号は所定の処理が施された後、携帯電話機１００の制御部１０１により、不揮発性記憶部（フラッシュメモリ）９３に記憶されたり、或いは表示画面Ｄ１、Ｄ２に表示されたり、更には、無線通信部８０を介し画像情報として外部へ送信されるようになっている。なお、不図示であるが携帯電話機１００には、音声を入出力するマイク及びスピーカ等を有している。
【符号の説明】
【００６８】
１０  撮像レンズ
５０  撮像装置
５１  撮像素子
５２  基板
５３  筐体
５４  外部接続端子
５５  撮像素子カバー
５６  カバーガラス
５７  鏡枠
５７ｓ  ストッパ
５８  コイルバネ
６０  圧電素子
６２  電極
６０ｋ  開口部（圧電素子）
１００  携帯電話機
Ｏ  光軸
Ｗ  ボンディングワイヤ
【図１】
2012002982.tif 000003
【図２】
2012002982.tif 000004
【図３】
2012002982.tif 000005
【図４】
2012002982.tif 000006
【図５】
2012002982.tif 000007
【図６】
2012002982.tif 000008
【図７】
2012002982.tif 000009
【図８】
2012002982.tif 000010
【図９】
2012002982.tif 000011